(57)【特許請求の範囲】
【請求項１】
光源と、
前記光源を包囲し、前記光源の光を通過させる窓部を備えた筐体部と、
前記筐体部の内部側の周囲に沿わせ、かつ前記窓部内に挿入して前記筐体部を止水するとともに、前記窓部内で前記光を透過させる止水部材と、
前記筐体部の外部側に配置され、前記窓部からの前記光を導光する導光部材と、
を備えることを特徴とする、電子装置。
【請求項２】
さらに、光透過材料で構成され、前記導光部材を介在させて前記筐体部を覆うケース部を備え、
該ケース部は、前記導光部材により導光された前記光を外部に照光させる照光窓部を形成したことを特徴とする、請求項１に記載の電子装置。
【請求項３】
さらに、前記導光部材の周囲の一部に、前記光を遮光する遮光部材を備えることを特徴とする、請求項１又は２に記載の電子装置。
【請求項４】
少なくとも前記窓部側に配置した前記止水部材の一部又は前記導光部材の一部のいずれか又は双方に凹部を形成し、前記導光部材と前記止水部材との間に空間部を形成することを特徴とする、請求項１ないし３のいずれか１項に記載の電子装置。
【請求項５】
前記筐体部は、複数の窓部が形成されて前記光を透光し、
前記導光部材は、複数の前記窓部を介して配置され、
少なくとも複数の前記窓部間に照光させることを特徴とする、請求項１ないし４のいずれか１項に記載の電子装置。
【発明の詳細な説明】
【技術分野】
【０００１】
本発明は、イルミネーション構造を有する電子装置に関する。
【背景技術】
【０００２】
従来、携帯電話機等の電子装置において、例えば、電話機能による着信通知やメールの受信表示、その他、アプリケーションの実行に応じて筐体部や表示部の一部を発光させるものがある。
【０００３】
このような発光表示機構に関し、特許文献１には、筐体の一部にパネルを係合させる凹部を設け、着信により発光する発光体の光を導光するレンズを筐体とパネルとの間に挟み付けるものがある。
【先行技術文献】
【特許文献】
【０００４】
【特許文献１】特開２０００−１９６７１９号公報
【発明の概要】
【発明が解決しようとする課題】
【０００５】
ところで、従来の電子機器では、外装ケースに着色した樹脂を利用しており、そのままでは光を透過させるのが困難であった。そのため、例えば、ＬＣＤ（Liquid Crystal Display）表示器の一部から発光させる手段があるが、発光させる範囲が限られるとともに、ＬＣＤ表示器からの光により、発光状態の視認性が落ちる。
【０００６】
また、筐体部側に発光手段を設置する場合、携帯電話機等の小型化等により、例えば、発光手段の保護や所定の方向に光を導くためのイルミネーションホルダ等や、筐体部の広い範囲に発光させるための構成を別途設置するのは困難となっている。さらに、筐体部に新たに構成部品を設置した場合、その設置した部分に対して止水する必要があるが、止水部品の設置スペースを設けるのも困難となっている。
【０００７】
斯かる要求や課題について、特許文献１にはその開示や示唆はなく、それを解決する構成等についての開示や示唆はない。
【０００８】
そこで、本開示の電子装置の目的は、筐体に対する止水構造及び表示手段の設置構造の簡略化を図ることにある。
【０００９】
また、本開示の電子装置の他の目的は、着信等を示す表示機能の視認性を確保し、利便性を向上させることにある。
【課題を解決するための手段】
【００１０】
上記目的を達成するため、本開示の電子装置は、光源から発した光を外部に照光する構成であって、筐体部に設置する止水部材と導光部材を利用する。筐体部は、光源を包囲し、この光源の光を通過させる窓部を備えている。止水部材は、筐体部の内部側の周囲に沿わせ、かつ筐体部の窓部内に挿入して筐体部を止水するとともに、窓部内で光を透過させる。導光部材は、筐体部の外部側に配置され、窓部からの光を導光する。
【発明の効果】
【００１１】
本開示の電子装置によれば、次のいずれかの効果が得られる。
【００１２】
(1) 止水手段の一部を光の透光手段に利用することで、止水機能を維持しつつ、光源の光を筐体部の導光手段側に導くことができる。
【００１３】
(2) 電子装置の筐体部と止水部材により光源を包囲するイルミネーションホルダを構成することで、発光手段の部品数を削減することができる。
【００１４】
(3) 筐体の外部側で光を導光させることで、広い範囲で発光させることができ、光の視認性を高められる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る携帯電話機の構成例を示す図である。
【図２】携帯電話機の外観構成例を示す図である。
【図３】可動フロントケース及びその搭載部品の構成例を示す図である。
【図４】可動フロントケースの構成例を示す図である。
【図５】エラストマの表面側の構成例を示す図である。
【図６】エラストマの裏面側の構成例を示す図である。
【図７】可動フロントケースにエラストマを設置した状態の一例を示す図である。
【図８】導光部材の表面側の外観構成例を示す図である。
【図９】導光部材の裏面側の構成例を示す図である。
【図１０】導光部材の背面側の構成例を示す図である。
【図１１】光の導光及び照光状態例を示す図である。
【図１２】フロントカバーの外観構成例を示す図である。
【図１３】図２のＬＥＤ周辺のＡ−Ａ断面を示す図である。
【図１４】図２のＢ−Ｂ断面を示す図である。
【図１５】図２のＣ−Ｃ断面を示す図である。
【図１６】第２の実施の形態に係る可動フロントケース及びその搭載部品の構成例を示す図である。
【図１７】ＬＥＤ周辺の断面の一例を示す図である。
【図１８】光の導光状態例を示す断面図である。
【図１９】他の実施の形態に係るＰＣの構成例を示す図である。
【発明を実施するための形態】
【００１７】
〔第１の実施の形態〕
【００１８】
第１の実施の形態について、図１及び図２を参照する。図１は、第１の実施の形態に係る携帯電話機の構成例を示す図、図２は、携帯電話機の外観構成例を示す図である。図１、図２に示す構成は一例であって、これに限定されない。
【００１９】
この携帯電話機２は、本開示の電子装置の一例であって、例えば、第１の筐体部４と第２の筐体部６を備えており、筐体部４が筐体部６に対して長手方向にスライド可能に積層されている。この筐体部４は、例えば、主に表示機能部を構成しており、また、筐体部６は、主に操作機能部を構成している。
【００２０】
筐体部４は、例えば、筐体部６に対してスライドする可動側筐体部を構成している。筐体部４は、例えば、フロントカバー８、可動フロントケース１０、可動リアケース１２、基板部１４で構成されており、基板部１４は、可動フロントケース１０と可動リアケース１２との間に挟み込まれている。また、可動フロントケース１０には、内側にエラストマ（elastomer ）１６が設置されている。これらのフロントカバー８、可動フロントケース１０や可動リアケース１２は、例えば、樹脂材料の成形体である。また、筐体部４は、筐体部６に対して例えば、ケーブルにより電気的に接続されている。
【００２１】
フロントカバー８は、本開示のケース部の一例であって、携帯電話機２の筐体部４の外装部品を構成しており、例えば、光透過性材料で構成されている。このフロントカバー８には、例えば、表示窓部１８が形成されており、基板部１２に設置している液晶表示パネル３４を配置させて画面表示を行っている。また、この表示窓部１８は、例えば、タッチパネルモジュールを設置して、操作入力手段として機能させてもよい。また、例えば、フロントカバー８の長手方向の前後端部側には、携帯電話機２の通話に利用する放音孔２０や吸音孔２２が形成されている。
【００２２】
このフロントカバー８の表面側又は裏面側は、例えば、着色され、若しくは着色した部材を設置することで、携帯電話機２を着色している。これらの着色材料や着色された部材は、例えば、光を遮光し又は減衰させることができ、筐体部４の内部側から導かれた光を外部に照光させない。また、フロントカバー８の一部又は全部には、後述するように、筐体部４の内部側から導光された光を筐体部４の外部側に照光させる照光窓が形成されている。
【００２３】
可動フロントケース１０は、本開示の筐体部の一例であって、例えば、放音孔２４、吸音孔２６が形成されている。この放音孔２４は、基板部１４のレシーバ４２からの音を通過させ、フロントカバー８の放音孔２０から放音させる。また、吸音孔２６は、フロントカバー８の吸音孔２２からの音を通過させ、基板部１４のマイクロフォン４６に吸音させる。
【００２４】
可動フロントケース１０には、表示窓部２８が形成されており、基板部１４に設置している液晶表示パネル３４を配置させて画面表示を行っている。また、可動フロントケース１０の長手方向の前後端部には、それぞれ単数又は複数の窓部３０が形成され、窓部３０を覆うように導光部材３２が設置されている。この可動フロントケース８は、例えば、基板部１４側に設置された発光手段を上側から包囲しており、この発光手段が発した光を窓部３０で通過させている。そして、この窓部３０を通過した光は、導光部材３２により、フロントカバー８側に導光される。導光部材３２は、光拡散によって光を発する発光手段の一例であって、例えば、平板部材で構成されたアクリル等が用いる。その他、導光材料として、アクリル以外の合成樹脂や硝子を用いてもよい。
【００２５】
可動リアケース１２は、基板部１４を載置して保持し、可動フロントケース１０と接合することで筐体部４を構成している。可動リアケース１２には、例えば、筐体部４を筐体部６に対してスライドさせる図示しないスライドガイドや筐体部４と筐体部６とを電気的に接続するケーブルを内部に挿通させるケーブル挿通孔等が形成されている。
【００２６】
可動フロントケース１０は、例えば、可動リアケース１２との接合するための係止爪等が形成されている。また、可動リアケース１２には、例えば、基板部１４を保持するための係止手段や、可動フロントケース１０と係止するための係止爪等が形成されている。
【００２７】
基板部１４は、筐体部４に搭載される機能構成部の一例であって、１又は複数の機能部品が実装されている。この基板部１４には、例えば、液晶表示パネル３４、カメラ３６、アンテナ機能部品等が実装されている。また、液晶表示パネル３４前後両端側には、例えば、フレキ基板３８、４０が実装されている。この基板部１４は、例えば、長手方向の両端側に貫通孔を備え、可動リアケース１２に対してフレキ基板３８、４０を介してネジやボルト等の固定部品を貫通させて固定される。
【００２８】
フレキ基板３８は、例えば、面状のフレキシブルな配線導体で構成され、筐体部４のトップ側に配置された回路ユニット又はフレキシブル基板の一例である。このフレキ基板３８は、通話音声等を放音するレシーバ４２や携帯電話機２の表面側を光らせるＬＥＤ（Light Emitting Diode）素子４４が実装されている。
【００２９】
フレキ基板４０は、筐体部４の回路ユニット又はフレキシブル基板の一例であって、筐体部４のボトム側の内部の端部と液晶表示部である液晶表示パネル３４との間に形成された空間部内に配置されている。このフレキ基板３８、４０は、例えば、樹脂材料で構成され、折り曲げ等の変形が可能な面状のフレキシブルな配線導体で構成している。このフレキ基板４０には、例えば、ＬＥＤ素子４４やマイクロフォン４６、その他アンテナ等が実装されている。
【００３０】
エラストマ１６は、筐体部４の内部に対する止水部材の一例であって、筐体部４の内部側の周囲及び可動フロントケース１０に形成された窓部３０側に配置させている。エラストマ１６は、例えば、可動フロントケース１０の周囲に這わせて配置する周壁部４８と可動フロントケース１０の窓部３０内に挿入させて密閉する窓封止部５０が形成されている。このエラストマ１６は、例えば、ポリエステル等の熱可塑性の樹脂材料で形成され、また、光透過性のある材質及び着色がされており、ＬＥＤ４４が発した光を透過する。
【００３１】
図２に示す携帯電話機２は、筐体部４が筐体部６の上側に積層されており、閉状態では筐体部６の上面側が筐体部４によって覆われ、接触操作を行わせないように構成されている。この携帯電話機２は、例えば、閉状態においても通話機能やＷｅｂサイトやメール等の表示機能の閲覧等を利用できる。また、表示窓部１８に設置したタッチパネルにより、携帯電話機２の操作を行うこともできる。筐体部４の端部側には、例えば、フロントカバー８（図１）に照光窓部５４、５６が形成されており、電話機能の着信状態や携帯電話機２の起動状態、メールの受信状態等を報知し、又はイルミネーションとして照光することができる。
【００３２】
携帯電話機２に対して入力操作機能を利用する場合には、例えば、筐体部４を長手方向にスライドさせることで、筐体部６の上面側が露出する。筐体部６は、携帯電話機２の操作側筐体部の一例であって、スライドする筐体部４に対し、固定側筐体部を構成する。この筐体部６には、例えば、キーパッドを備えており、テンキーや決定キー、カーソルキー等が配置されている。また、この筐体部６には、先端側の側面部に、例えばテレビ放送信号やデータ信号を送受信するアンテナ５８が設置されている。その他、携帯電話機２は、例えば、筐体部４が筐体部６に対して、長手方向にスライドした後に、左右方向スライドすることができ、例えば、テレビジョン放送の視聴等、横長の画面表示をすることもできる。
【００３３】
次に、可動フロントケースの構成について、図３及び図４を参照する。図３は、可動フロントケース及びその搭載部品の構成例を示す図、図４は、可動フロントケースの構成例を示す図である。図３、図４に示す構成は一例であって、これに限定されない。
【００３４】
図３に示す可動フロントケース１０には、例えば、長手方向の前後端部に溝部６０が形成されており、この溝部６０に対して導光部材３２を設置させている。導光部材３２は、溝部６０に対して収納可能な形状に成形されており、例えば、導光部材３２が溝部６０に対して隙間や突出部が生じないように密着させている。
【００３５】
なお、導光部材３２は、溝部６０に収納可能であればよく、例えば、光を導光させたい範囲に合わせて大きさを設定してもよい。
【００３６】
この溝部６０は、図４に示すように、筐体部４の内部から発せられた光を通過させる窓部３０とその周辺部分に形成されている。また、溝部６０は、例えば、可動フロントケース１０の端部側において、短手方向に直線状に形成されている。これにより、溝部６０は、複数の窓部３０間を連結している。
【００３７】
また、可動フロントケース１０の裏面側の周囲には、例えば、止水溝部６２が形成されている。止水溝部６２は、エラストマ１６を挿入させて保持する溝を備えている。
【００３８】
次に、止水手段の構成例について、図５、図６、図７を参照する。図５は、エラストマの表面側の構成例を示す図、図６は、エラストマの裏面側の構成例を示す図、図７は、可動フロントケースにエラストマを設置した状態の一例を示す図である。図５〜図７に示す構成は一例であって、これに限定されない。
【００３９】
図５に示すエラストマ１６は、周壁部４８に対して、可動フロントケース１０の窓部３０に合わせて窓封止部５０が設置されている。この周壁部４８と窓封止部５０とは、例えば、一体に成形されればよい。窓封止部５０は、例えば、窓部３０内に挿入させて可動フロントケース１０の溝部６０と同一の高さ又は溝部６０から突出させる高さに形成されている。また、この窓封止部５０の表面側には、中央部分に凹部６４が形成されており、例えば、導光部材３２と接触するのを回避している。
【００４０】
図６に示すように、エラストマ１６の裏面側において、周壁部４８と窓封止部５０とには、例えば、可動フロントケース１０の裏面側と接触する封止リブ６６が形成されている。また、窓封止部５０には、例えば、中央部に凹部６８が形成されてＬＥＤ４４と接触するのを防止している。
【００４１】
エラストマ１６を可動フロントケース１０側に設置すると、図７に示すように、封止リブ６６を可動フロントケース１０の裏面側に配置させ、周壁部４８を可動フロントケース１０の側壁側に配置する。この状態において、窓封止部５０を窓部３０内に挿入させる。後述するように、窓部３０は、例えばＬＥＤ４４の直上又はその周辺に形成されている。そこで、エラストマ１６の周壁部４８や窓部３０に設置した窓封止部５０及び可動フロントケース１０は、ＬＥＤ４４に対するイルミホルダを構成している。
【００４２】
次に、導光部材の構成について図８、図９、図１０及び図１１を参照する。図８は、導光部材の表面側の外観構成例を示す図、図９は、導光部材の裏面側の構成例を示す図、図１０は、導光部材の背面側構成例を示す図、図１１は、光の導光及び照光状態例を示す図である。図８〜図１１に示す構成は一例であって、これに限定されない。
【００４３】
導光部材３２は、例えば、可動フロントケース１０の溝部６０側の形状に合わせて設置可能に構成されており、窓部３０を通過した光を取り込む取込部７０、照光部７２が形成されている。取込部７０は、例えば、可動フロントケース１０の窓部３０及びその周辺部上に配置されて光を取り込み、取り込んだ光を内部で反射、拡散させて照光部７２側に導光する。照光部７２は、取込部７０から導光された光を受けて、その内部を導光するとともに外部に向けて光を照光させる。この導光部材３２は、例えば１つの照光部７２に対して複数の取込部７０から光を取込んで導光させている。
【００４４】
その他、この取込部７０には、例えば、後部側の一部に可動フロントケース１０に係止させる係止爪７４を形成しており、溝部６０内において、導光部材３２が移動したり、脱落したりするのを防止できる。
【００４５】
また、図９に示すように、導光部材３２は、取込部７０の裏面側の一部又は全部に斜光拡散部７６を備えている。斜光拡散部７６は、窓部３０の開口面側に向けて配置され、窓部３０側からの光の入射面部であり、この入射された光を斜光させる手段の一例である。この斜光拡散部７６は、例えば、所定の間隔で切り込まれて、照光部７２側に向けてＶ字状に凹凸が形成されている。この斜光拡散部７６は、例えば、窓部３０側から入射した光を凹凸に接触させることで、取込部７０の内部に対して取り込む角度を変更させる。これにより、斜光拡散部７６は、例えば、取込部７０に対して垂直方向又は垂直に近い角度で入射した光を斜光させて取込部７０内での拡散・反射を行わせることができ、照光範囲を拡大し、照光量を増やすことができる。
【００４６】
図１０に示すように、導光部材３２は、例えば、照光部７２の高さｈ2 側から取込部７０の高さｈ1 に向けて徐々に高さを増して形成されている。また、導光部材３２の底面側は例えば、取込部７０と照光部７２とで高さを面一にしており、可動フロントケース１０と導光部材３２との設置部分に隙間などを生じさせない。これにより、導光部材３２から意図しない方向に光が洩れるのを防止している。
【００４７】
図１１に示す可動フロントケース１０には、溝部６０に対して導光部材３２が設置されている。そして、窓部３０を通過した光７８は、例えば、照光部７２内において反射・拡散して、導光部材３２の全体に導光される。そして、この光７８は、例えば、導光部材３２の照光部７２が配置された可動フロントケース１０の端部側から外部に向けて照光する。
【００４８】
次に、フロントカバーの構成について、図１２を参照する。図１２は、フロントカバーの外観構成例を示す図である。図１２に示す構成は一例であって、これに限定されない。
【００４９】
このフロントカバー８に形成した照光窓部５４、５６には、導光部材３２の照光部７２が配置され、照光された光をフロントカバー８の外部に拡散させる。この照光窓部５４、５６は、例えば、フロントカバー８に対して着色しない、又は着色した部材を設置しないことで形成している。これにより、照光窓部５４、５６から照光させることができる。
【００５０】
次に、筐体部の構成について、図１３、図１４及び図１５を参照する。図１３は、図２のＬＥＤ周辺のＡ−Ａ断面を示す図、図１４は、図２のＢ−Ｂ断面を示す図、図１５は、図２のＣ−Ｃ断面を示す図である。図１３〜図１５に示す構成は一例であって、これに限定されない。
【００５１】
可動リアケース１２に対して、エラストマ１６を設置した可動フロントケース１０を設置すると、フレキ基板３８、４０に実装されたＬＥＤ４４の位置に可動フロントケース１０の窓部３０が配置される。この窓部３０には、既述のようにエラストマ１６の一部である窓封止部５０が設置されており、ＬＥＤ４４の上面側に配置される。この窓封止部５０は、可動フロントケース１０と可動リアケース１２との接合部分を止水する周壁部４８とを連結させて一体に構成している。また、この窓封止部５０は、例えば、筐体部４に搭載された液晶表示パネル３４側の可動フロントケース１０に対して密着させている。
【００５２】
窓封止部５０に形成された凹部６８は、ＬＥＤ４４を覆うように配置されている。これにより、可動フロントケース１０及び窓封止部５０は、ＬＥＤ４４のイルミホルダとして機能している。
【００５３】
エラストマ１６の周壁部４８は、可動フロントケース１０に対して密着するとともに、その先端側の一部又は全部を可動フロントケース１０から離して突出させている。この周壁部４８の先端部は、例えば、可動リアケース１２に対して圧着することで密着させ、又は可動リアケース１２内に挿入される。これにより、可動フロントケース１０と可動リアケース１２との接合部分にエラストマ１６の周壁部４８が強固に固定されるので、筐体部４の内部に対して止水することで、防水機能を高めることができる。
【００５４】
エラストマ１６の窓封止部５０は、窓部３０内に圧着し、又は接着材等により密着させているとともに、封止リブ６６により窓部３０の周囲を覆っている。これにより、例えば、可動フロントケース１０と導光部材３２との間から進入した水等を窓部３０において止水することができ、携帯電話機２の防水機能を高められる。
【００５５】
図１３に示すエラストマ１６に形成された凹部６４は、可動フロントケース１０の溝部６０に設置された導光部材３２とエラストマ１６との間に空間部を形成して離間させている。これにより、導光部材３２に形成された斜光拡散部７６がエラストマ１６に接触して変形するのを防止できるので、例えば、ＬＥＤ４４から取り込む光の入射角度が変わってしまうのを防止できる。また、斜光拡散部７６や凹部６４が損傷するのを防止することができる。
【００５６】
図１４に示すように、筐体部４のレシーバ４２側において、フレキ基板３８上に実装されたＬＥＤ４４が発光すると、その光７８は、エラストマ１６の窓封止部５０を透過し、導光部材３２内において反射、拡散して導光する。この導光部材３２は、筐体部４の短手方向の両端側に向けて長く設定され、また、設置された２つのＬＥＤ４４の間を繋いでいる。これにより、ＬＥＤ４４が発した光７８は、導光部材３２の内部を導光していき、フロントカバー８の照光窓部５６から筐体部４の外部側に向けて光８０が照光する。
【００５７】
これにより、少ない発光手段で発光した光７８を筐体部４の広い範囲に導光させることで、照光面積を広げることができる。また、ＬＥＤ４４間を繋ぐように導光部材３２が形成されているので、発光される光の形状を例えば線状にでき、筐体部４の広い範囲に照光させることで、利用者の視認性を上げることができる。
【００５８】
また、筐体部４の内部には、レシーバ４２やカメラ３６等、多数の実装部品が実装されるが、発光手段の設置数を少なくし、また、その光を可動フロントケース１０の外部側に設置した導光部材で導光することで、携帯電話機２の実装部品の効率的な実装が行える。
【００５９】
また、図１５に示すマイクロフォン４６側の筐体部４では、レシーバ側と同様に、フレキ基板４０のＬＥＤ４４から発した光７８が導光され、フロントカバー８の照光窓部５４から光８０が照光される。そして、筐体部４の短手側の広い範囲を光らせることができる。
【００６０】
斯かる構成によれば、エラストマの一部を光の透光手段に利用することで、止水機能を維持しつつ、光源の光を筐体部の導光手段側に導くことができる。また、携帯電話機の筐体部とエラストマとにより光源を包囲するイルミネーションホルダを構成することで、発光手段の部品数を削減することができる。可動フロントケースの外部側で光を導光させることで、筐体部の内部の機能部品の実装スペースに影響を与えることがなく、かつ広い範囲で発光させるので光の視認性がよく、携帯電話機の利便性を高められる。
【００６１】
〔第２の実施の形態〕
【００６２】
次に、第２の実施の形態について図１６、図１７及び図１８を参照する。図１６は、第２の実施の形態に係る可動フロントケース及びその搭載部品の構成例を示す図、図１７は、ＬＥＤ周辺の断面の一例を示す図、図１８は、光の導光状態例を示す図である。図１６〜図１８に示す構成は一例であって、これに限定されない。
【００６３】
図１６に示す可動フロントケース１０には、既述のように、長手方向の両端部側に溝部６０が形成され、導光部材３２が設置される。この導光部材３２は、窓部３０を通過した光を筐体部４（図２）の照光窓部５４、５６（図２）側に導光する。
【００６４】
この可動フロントケース１０には、導光部材３２の上面側に、遮光部材９０を設置している。この遮光部材９０は、光を透過させず又は光を減衰若しくは吸収するものであればよく、例えば、黒色に塗装されたテープ等を利用してもよい。
【００６５】
図１７に示す筐体部４では、エラストマ１６の窓封止部５０を透過した光が導光部材３２内に入射し、例えば、導光部材３２の内部において反射、拡散を繰り返してフロントカバー８の照光窓部５４、５６側に導光される。このとき、導光部材３２の上部側に到達した光の一部が導光部材３２の外部に透過した場合、この透過光は遮光部材９０によって反射、又は減衰される。
【００６６】
導光部材３２を覆うフロントカバー８は、既述のように、例えば、着色し、又は着色した部材を設置することで導光部材３２を透過した光を反射させ、又は減衰させて、フロントカバー８を透過させない。しかし、着色された色の種類等又は光の強さ等によりその斜光能力が異なる。また、例えば、色の種類や模様等が限られることになる。そこで、図１８に示すように、遮光部材９０を設置することで、例えばフロントケース８の表面側からの照光を防止でき、斜光窓部５４、５６からのみ照光を行うことができる。
【００６７】
斯かる構成によれば、止水手段の一部を光の透光手段に利用することで、止水機能を維持しつつ、光源の光を筐体部の導光手段側に導くことができ、また、発光手段の部品数を削減することができる。着信ランプ等の視認性を向上させることができる。さらに、斜光手段を備えることにより、フロントケースにおいて、意図しない範囲に照光するのを防止できるとともに、フロントケースから発光手段が、所謂目玉状に視覚されるのを防止することができる。
【００６８】
ここで、第１の実施の形態及び第２の実施の形態について、以下に特徴事項や利点を列挙する。
【００６９】
(1) 本発明の電子装置のイルミネーション構造では、止水エラストマの一部を延長して止水機能と筐体部に形成した導光窓を両立させることで、表示部の上下部分を広範囲に発光させることができる。
【００７０】
(2) この電子装置によれば、外装ケースから光を照光させ、また、広い範囲を光らせることができるので、着信表示やメール受信等の発光状態の視認性が高められる。
【００７１】
(3) この電子装置では、例えば、２色成型のケースにおいて、防水用のエラストマの一部を延長し、その端部の樹脂部にＬＥＤ発光用の窓を設け、その上に導光パーツを組み付ける。防水用エラストマを半透明色で構成すればよい。
【００７２】
(4) このイルミネーション構造によれば、防水性能を保持したまま、外装ケース上部や下部を広範囲に発光させることができ、着信ランプ等の視認性や、イルミネーションによる商品力を向上させることができる。
【００７３】
〔その他の実施の形態〕
【００７４】
(1) 上記実施の形態では、電子装置の一例として携帯電話機の構成を示したが、これに限られず、例えば、図１９に示すように、第１の筐体部２０２と第２の筐体部２０４とを備えたＰＣ（Personal Computer ）２００を利用してもよい。この筐体部２０２は、例えば、表示部２０６や照光窓部２０８を備えている。また、筐体部２０４には、例えば、キーボード等の入力操作部２１０を備えている。そして、この筐体部２０２の内部には、既述のような止水エラストマや導光部材を利用して照光窓部２０８側を光らせればよい。
【００７５】
その他、電子装置の他の例として、複数の筐体部がスライド可能に接続される携帯ゲーム機や携帯情報端末機（ＰＤＡ：Personal Digital Assistant）等であってもよい。
【００７６】
(2) 上記実施の形態では、導光部材３２とエラストマ１６との間の空間部について、エラストマ１６の窓封止部５０に凹部６８を設けたがこれに限られず、例えば、導光部材３２の斜光拡散部７６側に凹部を設けてもよい。また、導光部材３２とエラストマ１６との双方に凹部を設けてもよい。
【００７７】
(3) 上記実施の形態では、止水部材であるエラストマ１６や、導光部材３２を備えたイルミネーション構造を筐体部４に備えた場合を示したが、これに限られず、筐体部６内に構成してもよい。
【００７８】
次に、以上述べた実施例を含む実施の形態に関し、更に以下の付記を開示する。以下の付記に本発明が限定されるものではない。
【００７９】
（付記１）光源と、
前記光源を包囲し、前記光源の光を通過させる窓部を備えた筐体部と、
前記筐体部の内部側の周囲に沿わせ、かつ前記窓部内に挿入して前記筐体部を止水するとともに、前記窓部内で前記光を透過させる止水部材と、
前記筐体部の外部側に配置され、前記窓部からの前記光を導光する導光部材と、
を備えることを特徴とする、電子装置。
【００８０】
（付記２）さらに、光透過材料で構成され、前記導光部材を介在させて前記筐体部を覆うケース部を備え、
該ケース部は、前記導光部材により導光された前記光を外部に照光させる照光窓部を形成したことを特徴とする、付記１に記載の電子装置。
【００８１】
（付記３）さらに、前記導光部材の周囲の一部に、前記光を遮光する遮光部材を備えることを特徴とする、付記１又は２に記載の電子装置。
【００８２】
（付記４）前記導光部材は、前記窓部を透過した前記光の入射面部の一部又は全部に凹凸部を形成したことを特徴とする、付記１ないし３のいずれかに記載の電子装置。
【００８３】
（付記５）少なくとも前記窓部側に配置した前記止水部材の一部又は前記導光部材の一部のいずれか又は双方に凹部を形成し、前記導光部材と前記止水部材との間に空間部を形成することを特徴とする、付記１ないし４のいずれかに記載の電子装置。
【００８４】
（付記６）前記筐体部は、外部側に前記導光部材を配置させる溝部を形成したことを特徴とする、付記１ないし５のいずれかに記載の電子装置。
【００８５】
（付記７）前記筐体部は、複数の窓部が形成されて前記光を透光し、
前記導光部材は、複数の前記窓部を介して配置され、
少なくとも複数の前記窓部間に照光させることを特徴とする、付記１ないし６のいずれかに記載の電子装置。
【００８６】
以上説明したように、本開示の電子装置の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【００８７】
２  携帯電話機
４、６  筐体部
８  フロントカバー
１０  可動フロントケース
１２  可動リアケース
１４  基板部
１６  エラストマ
１８  表示窓部
２０、２４  放音孔
２２、２６  吸音孔
２８  表示窓部
３０  窓部
３２  導光部材
３４  液晶表示パネル
３８、４０  フレキ基板
４２  レシーバ
４４  ＬＥＤ
４６  マイクロフォン
４８  周壁部
５０  窓封止部
５４、５６  照光窓部
６０  溝部
６２  止水溝部
６４、６８  凹部
６６  封止リブ
７０  取込部
７２  照光部
７４  係止爪
７６  斜光拡散部
７８、８０  光
９０  遮光部材
【図１】
0005582082.tif 000002
【図２】
0005582082.tif 000003
【図３】
0005582082.tif 000004
【図４】
0005582082.tif 000005
【図５】
0005582082.tif 000006
【図６】
0005582082.tif 000007
【図７】
0005582082.tif 000008
【図８】
0005582082.tif 000009
【図９】
0005582082.tif 000010
【図１０】
0005582082.tif 000011
【図１１】
0005582082.tif 000012
【図１２】
0005582082.tif 000013
【図１３】
0005582082.tif 000014
【図１４】
0005582082.tif 000015
【図１５】
0005582082.tif 000016
【図１６】
0005582082.tif 000017
【図１７】
0005582082.tif 000018
【図１８】
0005582082.tif 000019
【図１９】
0005582082.tif 000020